(57)【要約】【課題】  配線を流れる電流によって発生するノイズを低減する。【解決手段】  本発明に係る電圧変換装置１００は、電源ＢＡＴＴから供給される入力電源の電圧を変化させて第１負荷回路Ｌｏａｄ１に電源を供給する第１スイッチング電源回路ＳＭＰＳ１と、電源ＢＡＴＴから供給される入力電源の電圧を変化させて第２負荷回路Ｌｏａｄ２に電源を供給する第２スイッチング電源回路ＳＭＰＳ２と、を備え、第１スイッチング電源回路ＳＭＰＳ１は、第１の磁界を発生させる向きで第１の電流が流れる第１配線構造を有し、第２スイッチング電源回路ＳＭＰＳ２は、第１の磁界を打ち消す第２の磁界を発生させる向きで第２の電流が流れる第２配線構造を有する。【選択図】  図１
2019004550.tif 000002
【特許請求の範囲】
【請求項１】
電源から供給される入力電源の電圧を変化させて第１負荷回路に電源を供給する第１スイッチング電源回路と、
前記電源から供給される入力電源の電圧を変化させて第２負荷回路に電源を供給する第２スイッチング電源回路と、を備え、
前記第１スイッチング電源回路は、第１の磁界を発生させる向きで第１の電流が流れる第１配線構造を有し、
前記第２スイッチング電源回路は、前記第１の磁界を打ち消す第２の磁界を発生させる向きで第２の電流が流れる第２配線構造を有する、
ことを特徴とする電圧変換装置。
【請求項２】
前記第１スイッチング電源回路と前記第２スイッチング電源回路は、並列に接続される、
ことを特徴とする請求項１に記載の電圧変換装置。
【発明の詳細な説明】
【技術分野】
【０００１】
本発明は、スイッチング方式の電圧変換装置に関する。
【背景技術】
【０００２】
従来のスイッチング方式の電圧変換装置として、特許文献１に開示されたものがある。この電圧変換装置は、スイッチング素子のスイッチング時にインダクタＬ，キャパシタＣの共振作用によりスイッチング素子のスイッチング損失を低減することで、スイッチングによって発生するノイズ（磁界）を低減するものである。
【先行技術文献】
【特許文献】
【０００３】
【特許文献１】特開平５−２６０７２９号公報
【発明の概要】
【発明が解決しようとする課題】
【０００４】
しかしながら、前述した電圧変換装置においては、配線を流れる電流によって発生するノイズを低減する構造ではなく、ノイズの低減という観点で改善の余地がある。
【０００５】
本発明は、上述した課題に鑑みてなされたものであり、配線を流れる電流によって発生するノイズを低減できる電圧変換装置を提供することを目的とする。
【課題を解決するための手段】
【０００６】
本発明に係る電圧変換装置は、
電源から供給される入力電源の電圧を変化させて第１負荷回路に電源を供給する第１スイッチング電源回路と、
前記電源から供給される入力電源の電圧を変化させて第２負荷回路に電源を供給する第２スイッチング電源回路と、を備え、
前記第１スイッチング電源回路は、第１の磁界を発生させる向きで第１の電流が流れる第１配線構造を有し、
前記第２スイッチング電源回路は、前記第１の磁界を打ち消す第２の磁界を発生させる向きで第２の電流が流れる第２配線構造を有する。
【発明の効果】
【０００７】
本発明によれば、配線を流れる電流によって発生するノイズを低減できる。
【図面の簡単な説明】
【０００８】
【図１】本発明の実施形態の回路図。
【図２】同実施形態の電流の流れを示す図。
【発明を実施するための形態】
【０００９】
本発明の実施形態を添付図面を参照して説明する。
【００１０】
本発明の実施形態である電圧変換装置１００は、図１に示すように、直流の電源ＢＡＴＴと負荷回路Ｌｏａｄ１，Ｌｏａｄ２との間に接続されたスイッチング電源回路ＳＭＰＳ１，ＳＭＰＳ２から構成される。電圧変換装置１００は、制御手段ＣＴＲＬに制御されて、電源ＢＡＴＴから出力された直流電圧を、電圧変換装置１００により降圧して、負荷回路Ｌｏａｄ１，Ｌｏａｄ２に供給する。
【００１１】
第１スイッチング電源回路ＳＭＰＳ１は、スイッチＳＷ１とインダクタＬ１とコンデンサＣ０，Ｃ１とダイオードＤ１とから主に構成される。第１スイッチング電源回路ＳＭＰＳ１は、制御手段ＣＴＲＬの制御されてスイッチＳＷ１のオン／オフを繰り返すことにより、電源ＢＡＴＴから出力された電源電圧を降圧した設定電圧で第１負荷回路Ｌｏａｄ１に電源を供給する。
【００１２】
制御手段ＣＴＲＬは、第１スイッチング電源回路ＳＭＰＳ１の出力電圧が設定電圧よりも低い場合に、スイッチＳＷ１をオンさせる。
第１スイッチング電源回路ＳＭＰＳ１は、スイッチＳＷ１がオンすると、図２（Ａ）に示すように、ＳＷ１、インダクタＬ１、第１負荷回路Ｌｏａｄ１、コンデンサＣ０の順となる経路で電流が流れる。このとき、インダクタＬ１には磁気エネルギーが蓄積される。
【００１３】
制御手段ＣＴＲＬは、第１スイッチング電源回路ＳＭＰＳ１の出力電圧が設定電圧よりも高くなると、スイッチＳＷ１をオフさせる。
第１スイッチング電源回路ＳＭＰＳ１は、スイッチＳＷ１がオンからオフとなると、図２（Ｂ）に示すように、インダクタＬ１に蓄積されていた磁気エネルギーが電流となって第１負荷回路Ｌｏａｄ１に供給された後、インダクタＬ１に向かって流れる。
【００１４】
コンデンサＣ１は、上述した制御手段ＣＴＲＬによるスイッチＳＷ１のオン／オフによる生じる電流の変動を平滑化する機能を有する。
【００１５】
第２スイッチング電源回路ＳＭＰＳ２は、スイッチＳＷ２とインダクタＬ２とコンデンサＣ０，Ｃ２とダイオードＤ２とから主に構成される。第２スイッチング電源回路ＳＭＰＳ２は、第１スイッチング電源回路ＳＭＰＳ１と同様の原理で、制御手段ＣＴＲＬの制御されてスイッチＳＷ２のオン／オフを繰り返すことにより、電源ＢＡＴＴから出力された電源電圧を降圧した設定電圧で第２負荷回路Ｌｏａｄ２に電源を供給する。
【００１６】
第２スイッチング電源回路ＳＭＰＳ２は、第１スイッチング電源回路ＳＭＰＳ１に流れる電流と反対の向きに流れるように、第１スイッチング電源回路ＳＭＰＳ１と並列に接続されている。
【００１７】
第１負荷回路Ｌｏａｄ１と第２負荷回路Ｌｏａｄ２とは同等の負荷となるように構成され、第１スイッチング電源回路ＳＭＰＳ１と第２スイッチング電源回路ＳＭＰＳ２とは各負荷回路Ｌｏａｄ１，Ｌｏａｄ２に電源を供給したときに同等の電流が流れるように各電子部品や配線長が設定されている。
【００１８】
また、制御手段ＣＴＲＬは、スイッチＳＷ１，ＳＷ２のオン／オフを同期させる。これにより、第１スイッチング電源回路ＳＭＰＳ１に流れる電流により生じる磁界と、第２スイッチング電源回路ＳＭＰＳ２に流れる電流により生じる磁界と、が相殺される。
【００１９】
以上のように、本発明に係る電圧変換装置１００は、電源ＢＡＴＴから供給される入力電源の電圧を変化させて第１負荷回路Ｌｏａｄ１に電源を供給する第１スイッチング電源回路ＳＭＰＳ１と、電源ＢＡＴＴから供給される入力電源の電圧を変化させて第２負荷回路Ｌｏａｄ２に電源を供給する第２スイッチング電源回路ＳＭＰＳ２と、を備え、第１スイッチング電源回路ＳＭＰＳ１は、第１の磁界を発生させる向きで第１の電流が流れる第１配線構造を有し、第２スイッチング電源回路ＳＭＰＳ２は、第１の磁界を打ち消す第２の磁界を発生させる向きで第２の電流が流れる第２配線構造を有する。
【００２０】
このように構成することで、配線を流れる電流により生じる第１の磁界と第２の磁界とが相殺されて、配線を流れる電流によって発生するノイズを低減できる。
【００２１】
本発明は、電圧変換装置１００に限定されるものでなく、主旨を逸脱しない範囲で実施形態及び図面に変更してもよい。
【００２２】
本発明は、降圧型のスイッチング電源回路に限らず、昇圧型のスイッチング電源回路に適用してもよい。
【符号の説明】
【００２３】
１００…電圧変換装置，ＢＡＴＴ…電源，ＣＴＲＬ…制御手段，ＳＭＰＳ１…第１スイッチング電源回路，ＳＭＰＳ２…第２スイッチング電源回路，Ｌｏａｄ１…第１負荷回路，Ｌｏａｄ２…第２負荷回路
【図１】
2019004550.tif 000003
【図２】
2019004550.tif 000004